(57)【要約】  本発明実施例はアクセスポイント（ＡＰ）の配置および管理方法、並びにアクセスコントローラを開示している。ＡＣにおいて、標準管理情報ベース（ＭＩＢ）インターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応し、物理無線インターフェースに配置情報を送信する必要がある場合、前記仮想無線インターフェースに対応する物理無線インターフェースを決定し、決定された物理無線インターフェースに前記仮想無線インターフェースの配置情報を送信する。本発明の実施例によれば、標準ＭＩＢ規格を再利用して、ＡＰに対する操作を実現し、ＡＰに対する管理コストを削減することができる。
2009542165.tif 000002
【特許請求の範囲】
【請求項１】
アクセスコントローラ（ＡＣ）に応用されるアクセスポイント（ＡＰ）配置方法であって、
標準管理情報ベース（ＭＩＢ）インターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応し、
物理無線インターフェースに配置情報を送信する必要がある場合、前記仮想無線インターフェースに対応する物理無線インターフェースを決定し、決定された物理無線インターフェースに前記仮想無線インターフェースの配置情報を送信する、
ことを含むことを特徴とする方法。
【請求項２】
物理無線インターフェースに対して管理を行う必要がある場合、前記物理無線インターフェースに対応する仮想無線インターフェースを決定し、決定された仮想無線インターフェースに対して前記物理無線インターフェースの管理情報を記憶する、
ことをさらに含むことを特徴とする請求項１に記載の方法。
【請求項３】
前記各物理無線インターフェースが、物理無線インターフェースの属するＡＰ識別子および物理無線インターフェース識別子からなる一意の識別子により識別され、
前記各仮想無線インターフェースのインターフェースインデックスと各物理無線インターフェースの一意の識別子との対応関係に基づいて、物理無線インターフェースに対応する仮想無線インターフェースを決定し、または、仮想無線インターフェースに対応する物理無線インターフェースを決定する、
ことを特徴とする請求項１または２に記載の方法。
【請求項４】
物理無線インターフェースに配置情報を送信する必要がある場合、
前記各仮想無線インターフェースのインターフェースインデックスと各物理無線インターフェースの一意の識別子との対応関係に基づいて、ＡＰからの配置要求に付けられている、物理無線インターフェースの属するＡＰ識別子および物理無線インターフェース識別子からなる物理無線インターフェースの一意の識別子に対応する仮想無線インターフェースのインターフェースインデックスを決定し、
決定されたインターフェースインデックスに対応する仮想無線インターフェースの配置情報および前記物理無線インターフェース識別子を前記ＡＰに送信し、
前記ＡＰが、前記物理無線インターフェース識別子に基づいて、前記物理無線インターフェース識別子に対応する物理無線インターフェースに対して、受信された配置情報を配置する、
ことを特徴とする請求項３に記載の方法。
【請求項５】
物理無線インターフェースに配置情報を送信する必要がある場合、
前記各仮想無線インターフェースのインターフェースインデックスと各物理無線インターフェースの一意の識別子との対応関係に基づいて、前記各仮想無線インターフェースのインターフェースインデックスに対応する各物理無線インターフェースの一意の識別子を決定し、前記各仮想無線インターフェースの配置情報と各物理無線インターフェースの一意の識別子との対応関係を記憶し、
前記各仮想無線インターフェースの配置情報と各物理無線インターフェースの一意の識別子との対応関係に基づいて、ＡＰからの配置要求に付けられている、物理無線インターフェースの属するＡＰ識別子および物理無線インターフェース識別子からなる物理無線インターフェースの一意の識別子に対応する配置情報を決定し、
決定された配置情報および前記物理無線インターフェース識別子を前記ＡＰに送信し、
前記ＡＰが、前記物理無線インターフェース識別子に基づいて、前記物理無線インターフェース識別子に対応する物理無線インターフェースに対して、受信された配置情報を配置する、
ことを特徴とする請求項３に記載の方法。
【請求項６】
同じ配置情報を有する２つ以上の物理無線インターフェースが、同一の仮想無線インターフェースに対応することを特徴とする請求項４または５に記載の方法。
【請求項７】
物理無線インターフェースに対して管理を行う必要がある場合、
ＡＰからの物理無線インターフェースの管理情報を受信し、
前記各仮想無線インターフェースのインターフェースインデックスと各物理無線インターフェースの一意の識別子との対応関係に基づいて、前記管理情報に付けられている、物理無線インターフェースの属するＡＰ識別子および物理無線インターフェース識別子からなる物理無線インターフェースの一意の識別子に対応する仮想無線インターフェースのインターフェースインデックスを決定し、
決定されたインターフェースインデックスに対応する仮想無線インターフェースに対して、前記物理無線インターフェースの管理情報を記憶する、
ことを特徴とする請求項３〜５のいずれか１項に記載の方法。
【請求項８】
決定されたインターフェースインデックスに対応する仮想無線インターフェースに対して、前記物理無線インターフェースの管理情報を記憶した後に、
ネットワーク管理者からの問い合わせ要求を受信し、問い合わせ要求におけるインターフェースインデックスに基づいて、前記インターフェースインデックスに対応する仮想無線インターフェースの管理情報を前記ネットワーク管理者に送信する、
ことをさらに含むことを特徴とする請求項７に記載の方法。
【請求項９】
ＡＣとＡＰとの間の情報やりとりがＣＡＰＷＡＰプロトコルに基づくものであり、ＡＣとネットワーク管理者との間の情報やりとりが簡易ネットワーク管理プロトコル（ＳＮＭＰ）に基づくものであることを特徴とする請求項８に記載の方法。
【請求項１０】
前記管理情報は状態情報または状態統計情報を含むことを特徴とする請求項２、７または８に記載の方法。
【請求項１１】
前記標準ＭＩＢは８０２．１１プロトコルで定義されたＭＩＢを含むことを特徴とする請求項１〜１０のいずれか１項に記載の方法。
【請求項１２】
前記インターフェースインデックスは標準ＭＩＢに基づくＩｆｉｎｄｅｘを含むことを特徴とする請求項１１に記載の方法。
【請求項１３】
アクセスコントローラ（ＡＣ）に応用されるアクセスポイント（ＡＰ）管理方法であって、
標準管理情報ベース（ＭＩＢ）インターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応し、
物理無線インターフェースに対して管理を行う必要がある場合、前記物理無線インターフェースに対応する仮想無線インターフェースを決定し、決定された仮想無線インターフェースに対して、前記物理無線インターフェースの管理情報を記憶する、
ことを含むことを特徴とする方法。
【請求項１４】
前記各物理無線インターフェースが、物理無線インターフェースの属するＡＰ識別子および物理無線インターフェース識別子からなる一意の識別子により識別され、
前記各仮想無線インターフェースのインターフェースインデックスと各物理無線インターフェースの一意の識別子との対応関係に基づいて、前記物理無線インターフェースに対応する仮想無線インターフェースを決定する、
ことを特徴とする請求項１３に記載の方法。
【請求項１５】
ＡＰからの物理無線インターフェースの管理情報を受信し、
前記各仮想無線インターフェースのインターフェースインデックスと各物理無線インターフェースの一意の識別子との対応関係に基づいて、前記管理情報に付けられている、物理無線インターフェースの属するＡＰ識別子および物理無線インターフェース識別子からなる物理無線インターフェースの一意の識別子に対応する仮想無線インターフェースのインターフェースインデックスを決定し、
決定されたインターフェースインデックスに対応する仮想無線インターフェースに対して、前記物理無線インターフェースの管理情報を記憶する、
ことを特徴とする請求項１４に記載の方法。
【請求項１６】
決定されたインターフェースインデックスに対応する仮想無線インターフェースに対して、前記物理無線インターフェースの管理情報を記憶した後に、
ネットワーク管理者からの問い合わせ要求を受信し、問い合わせ要求におけるインターフェースインデックスに基づいて、前記インターフェースインデックスに対応する仮想無線インターフェースの管理情報を前記ネットワーク管理者に送信する、
ことをさらに含むことを特徴とする請求項１５に記載の方法。
【請求項１７】
ＡＣとＡＰとの間の情報やりとりがＣＡＰＷＡＰプロトコルに基づくものであり、ＡＣとネットワーク管理者との間の情報やりとりが簡易ネットワーク管理プロトコル（ＳＮＭＰ）に基づくものであることを特徴とする請求項１６に記載の方法。
【請求項１８】
前記管理情報は状態情報または状態統計情報を含むことを特徴とする請求項１３〜１７のいずれか１項に記載の方法。
【請求項１９】
前記標準ＭＩＢは８０２．１１プロトコルで定義されたＭＩＢを含むことを特徴とする請求項１３〜１８のいずれか１項に記載の方法。
【請求項２０】
前記インターフェースインデックスは標準ＭＩＢにおけるＩｆｉｎｄｅｘを含むことを特徴とする請求項１９に記載の方法。
【請求項２１】
アクセスコントローラ（ＡＣ）に応用されるアクセスポイント（ＡＰ）管理方法であって、
標準管理情報ベース（ＭＩＢ）に基づいて予め確立された、ＡＰの物理無線インターフェースに対応する仮想無線インターフェースを介して、ネットワーク管理者による物理無線インターフェースへの管理を行う、
ことを含むことを特徴とする方法。
【請求項２２】
予め確立された、ＡＰの物理無線インターフェースに対応する仮想無線インターフェースを介して、ネットワーク管理者による物理無線インターフェースへの管理を行うことは、
ＡＣとネットワーク管理者との間の管理チャネルを介して、ネットワーク管理者の前記仮想無線インターフェースに対する配置情報を受信し、
ＡＣとＡＰとの間のチャネルを介して、前記配置情報を前記仮想無線インターフェースに対応する物理無線インターフェースに送信する、
ことを含むことを特徴とする請求項２１に記載の方法。
【請求項２３】
予め確立された、ＡＰの物理無線インターフェースに対応する仮想無線インターフェースを介して、ネットワーク管理者による物理無線インターフェースへの管理を行うことは、
ＡＣとＡＰとの間のチャネルを介して、ＡＰから報告された物理無線インターフェースの管理情報を受信し、前記仮想無線インターフェースに対して、前記物理無線インターフェースの管理情報を記憶し、
ＡＣとネットワーク管理者との間の管理チャネルを介して、前記仮想無線インターフェースに対して記憶された前記物理無線インターフェースの管理情報を前記ネットワーク管理者に送信する、
ことを含むことを特徴とする請求項２１に記載の方法。
【請求項２４】
前記ＡＣとＡＰとの間のチャネルが前記ＡＣとネットワーク管理者との間の管理チャネルと異なることを特徴とする請求項２２または２３に記載の方法。
【請求項２５】
前記ＡＣとＡＰとの間のチャネルがＣＡＰＷＡＰに基づくものであり、前記ＡＣとネットワーク管理者との間の管理チャネルが簡易ネットワーク管理プロトコル（ＳＮＭＰ）に基づくものであることを特徴とする請求項２４に記載の方法。
【請求項２６】
前記標準ＭＩＢは８０２．１１プロトコルで定義されたＭＩＢを含むことを特徴とする請求項２１に記載の方法。
【請求項２７】
アクセスコントローラ（ＡＣ）であって、
標準管理情報ベース（ＭＩＢ）インターフェースインデックスをそれぞれ有する少なくとも１つの仮想無線インターフェースを確立し、前記少なくとも１つの仮想無線インターフェースのそれぞれが少なくとも１つのアクセスポイント（ＡＰ）の少なくとも１つの物理無線インターフェースに対応する第１モジュールと、
前記物理無線インターフェースに対応する仮想無線インターフェースを決定し、決定された仮想無線インターフェースの配置情報を前記物理無線インターフェースに送信し、ここで、前記決定された仮想無線インターフェースの配置情報が前記標準ＭＩＢに従って配置されたものである第２モジュールと、
を含むことを特徴とするアクセスコントローラ。
【請求項２８】
前記物理無線インターフェースに対応する仮想無線インターフェースを決定し、決定された仮想無線インターフェースに対して、前記物理無線インターフェースの管理情報を記憶する第３モジュール、
をさらに含むことを特徴とする請求項２７に記載のアクセスコントローラ。
【請求項２９】
前記各仮想無線インターフェースのインターフェースインデックスと各物理無線インターフェースの一意の識別子との対応関係を記憶し、ここで、前記各物理無線インターフェースの一意の識別子が、物理無線インターフェースの属するＡＰ識別子および物理無線インターフェース識別子からなる第４モジュールをさらに含み、
前記第２モジュールは、
前記各仮想無線インターフェースに対して、前記標準ＭＩＢに従って無線パラメータ配置情報を配置する第１サブモジュールと、
ＡＰからの配置要求に付けられている、物理無線インターフェースの属するＡＰ識別子および物理無線インターフェース識別子からなる物理無線インターフェースの一意の識別子に対応する仮想無線インターフェースのインターフェースインデックスを、前記第４モジュールから検索し、検索されたインターフェースインデックスに対応する仮想無線インターフェースの無線パラメータ配置情報および前記物理無線インターフェース識別子を前記ＡＰに送信する第２サブモジュールと、を含む、
ことを特徴とする請求項２８に記載のアクセスコントローラ。
【請求項３０】
前記各仮想無線インターフェースのインターフェースインデックスと各物理無線インターフェースの一意の識別子との対応関係を記憶し、ここで、前記各物理無線インターフェースの一意の識別子が、物理無線インターフェースの属するＡＰ識別子および物理無線インターフェース識別子からなる第４モジュールをさらに含み、
前記第２モジュールは、
前記各仮想無線インターフェースに対して、前記標準ＭＩＢに従って無線パラメータ配置情報を配置し、各仮想無線インターフェースのインターフェースインデックスに対応する物理無線インターフェースの一意の識別子を前記第４モジュールから検索し、前記各仮想無線インターフェースに対して配置された無線パラメータ配置情報と検索された各物理無線インターフェースの一意の識別子との対応関係を第２サブモジュールに記憶する第１サブモジュールと、
前記各仮想無線インターフェースに対して配置された無線パラメータ配置情報と検索された各物理無線インターフェースの一意の識別子との対応関係を記憶する第２サブモジュールと、
ＡＰからの配置要求に付けられている、物理無線インターフェースの属するＡＰ識別子および物理無線インターフェース識別子からなる物理無線インターフェースの一意の識別子に対応する無線パラメータ配置情報を、前記第２サブモジュールから検索し、前記無線パラメータ配置情報および前記物理無線インターフェース識別子を前記ＡＰに送信する第３サブモジュールと、を含む、
ことを特徴とする請求項２８に記載のアクセスコントローラ。
【請求項３１】
前記第３モジュールは、
物理無線インターフェースの管理情報をＡＰから受信し、前記管理情報に付けられている、物理無線インターフェースの属するＡＰ識別子および物理無線インターフェース識別子からなる物理無線インターフェースの一意の識別子に対応する仮想無線インターフェースのインターフェースインデックスを、前記第４モジュールから検索し、検索されたインターフェースインデックスに対応する仮想無線インターフェースに対して、前記物理無線インターフェースの管理情報を記憶する第１サブモジュールと、
ＡＰの物理無線インターフェースに対する問い合わせ要求をネットワーク管理者から受信し、問い合わせ要求における、物理無線インターフェースの属するＡＰ識別子および物理無線インターフェース識別子からなる物理無線インターフェースの一意の識別子に対応する仮想無線インターフェースのインターフェースインデックスを、前記第４モジュールから検索し、検索されたインターフェースインデックスに対応する仮想無線インターフェースに対して記憶された管理情報を前記ネットワーク管理者に送信する第２サブモジュールと、
を含むことを特徴とする請求項２９または３０に記載のアクセスコントローラ。
【請求項３２】
アクセスコントローラ（ＡＣ）であって、
標準管理情報ベース（ＭＩＢ）インターフェースインデックスをそれぞれ有する少なくとも１つの仮想無線インターフェースを確立し、前記少なくとも１つの仮想無線インターフェースのそれぞれが少なくとも１つのアクセスポイント（ＡＰ）の少なくとも１つの物理無線インターフェースに対応する第１モジュールと、
ＡＰの物理無線インターフェースに対して管理を行う場合、前記物理無線インターフェースに対応する仮想無線インターフェースを決定し、決定された仮想無線インターフェースに対して、前記物理無線インターフェースの管理情報を記憶する第２モジュールと、
を含むことを特徴とするアクセスコントローラ。
【請求項３３】
前記各仮想無線インターフェースのインターフェースインデックスと各物理無線インターフェースの一意の識別子との対応関係を記憶し、ここで、各物理無線インターフェースの一意の識別子が、物理無線インターフェースの属するＡＰ識別子および物理無線インターフェース識別子からなる第３モジュールをさらに含み、
前記第２モジュールは、
物理無線インターフェースの管理情報をＡＰから受信し、前記管理情報に付けられている、物理無線インターフェースの属するＡＰ識別子および物理無線インターフェース識別子からなる物理無線インターフェースの一意の識別子に対応する仮想無線インターフェースのインターフェースインデックスを、前記第３モジュールから検索し、検索されたインターフェースインデックスに対応する仮想無線インターフェースに対して、前記物理無線インターフェースの管理情報を記憶する第１サブモジュールと、
ＡＰの物理無線インターフェースに対する問い合わせ要求をネットワーク管理者から受信し、問い合わせ要求における、物理無線インターフェースの属するＡＰ識別子および物理無線インターフェース識別子からなる物理無線インターフェースの一意の識別子に対応する仮想無線インターフェースのインターフェースインデックスを、前記第３モジュールから検索し、検索されたインターフェースインデックスに対応する仮想無線インターフェースに対して記憶された管理情報を前記ネットワーク管理者に送信する第２サブモジュールと、
を含むことを特徴とする請求項３２に記載のアクセスコントローラ。
【請求項３４】
コンピュータソフトウェアであって、
若干の指令を含み、請求項１〜２６のいずれか１項に記載の方法をアクセスコントローラに実行させることを特徴とするコンピュータソフトウェア。
【請求項３５】
アクセスコントローラ（ＡＣ）であって、
少なくとも１つのアクセスポイント（ＡＰ）の少なくとも１つの物理無線インターフェースの集中管理に用いられ、前記ＡＰとネットワーク管理者との間に直接のチャネルがなく、
標準管理情報ベース（ＭＩＢ）に基づいて確立され、それぞれが少なくとも１つの物理無線インターフェースに対応する少なくとも１つの仮想無線インターフェースと、
各仮想無線インターフェースと各物理無線インターフェースとの間の対応関係に基づいて、ネットワーク管理者から送信され、且つ前記少なくとも１つの仮想無線インターフェースに対して記憶された配置情報を、それぞれ対応の物理無線インターフェースに送信する少なくとも１つの配置情報送信モジュールと、
を含むことを特徴とするアクセスコントローラ。
【請求項３６】
前記仮想無線インターフェースは、Ｉｆｉｎｄｅｘをインデックスとして、前記ネットワーク管理者の操作を受けることを特徴とする請求項３５に記載のアクセスコントローラ。
【請求項３７】
Ｉｆｉｎｄｅｘと前記物理無線インターフェースの一意の識別子との間の対応関係を記憶することによって、前記各物理無線インターフェースと各仮想無線インターフェースとの間の対応関係を記憶し、ここで、前記物理無線インターフェースの一意の識別子が、物理無線インターフェースの属するＡＰ識別子および物理無線インターフェース識別子からなることを特徴とする請求項３６に記載のアクセスコントローラ。
【請求項３８】
前記物理無線インターフェースに対応する仮想無線インターフェースに対して、ＡＰから報告された前記物理無線インターフェースの情報を記憶し、ネットワーク管理者がＡＰからの情報を取得する必要がある場合、前記仮想無線インターフェースに対して記憶されたＡＰからの情報をネットワーク管理者に報告するＡＰ情報報告モジュール、
をさらに含むことを特徴とする請求項３５に記載のアクセスコントローラ。
【発明の詳細な説明】
【技術分野】
【０００１】
本発明は無線通信技術の分野に関し、具体的にアクセスポイントの配置および管理方法、並びにアクセスコントローラに関する。
【背景技術】
【０００２】
８０２．１１無線ＬＡＮ（ＷＬＡＮ：Ｗｉｒｅｌｅｓｓ  Ｌｏｃａｌ  Ａｒｅａ  Ｎｅｔｗｏｒｋ）はＬＡＮの無線接続サービスを提供している。アクセスポイント（ＡＰ：Ａｃｃｅｓｓ  Ｐｏｉｎｔ）はＷＬＡＮの重要な構成機器の１つである。ＡＰは無線送受信機であり、インターネットのような有線ネットワークから受信されたデータを無線信号に変換して送信するとともに、受信された無線信号をデータに変換して有線ネットワークに転送することができる。
【０００３】
現在、８０２．１１ＷＬＡＮネットワークは企業などのユーザに幅広く応用されている。これらのユーザは、ＡＰ機器が数多く、セキュリティに敏感で、サービス品質（ＱｏＳ：Ｑｕａｌｉｔｙ  ｏｆ  Ｓｅｒｖｉｃｅ）に対する要求が厳しい。従って、ネットワークの管理可能性を確保し、ユーザの操作・管理コストを削減するには効果的な管理手段が必要となる。
【０００４】
従来のＡＰはＦａｔ  ＡＰとも呼ばれ、例えば現在家庭であまねく使用されるＡＰ機器であり、８０２．１１プロトコルで定義された全ての機能を有する。管理情報ベース（ＭＩＢ：Ｍａｎａｇｅｍｅｎｔ  Ｉｎｆｏｒｍａｔｉｏｎ  Ｂａｓｅ）は管理対象の管理目標の集合である。８０２．１１プロトコルにより専門的なＭＩＢ規格が策定され、該ＭＩＢ規格には、無線インターフェースに対して配置されたビーコン間隔（ｂｅａｃｏｎ）などのパラメータのようなＦａｔ  ＡＰの配置パラメータが含まれるだけではなく、無線インターフェースにおける送受信パケット数、無線インターフェースの動作状態などのようなＦａｔ  ＡＰの状態および状態統計情報も含まれる。このように、ネットワーク管理者はＭＩＢインターフェースを介してＦａｔ  ＡＰの無線インターフェースに対して配置および管理を行うことができる。以下、８０２．１１プロトコルで定義されたＭＩＢのデータ構造を示す。
【０００５】
Dot11OperationEntry ::=
SEQUENCE{      dot11MACAddress        MacAddress,
dot11RTSThreshold           INTEGER,
dot11ShortRetryLimit         INTEGER,
dot11LongRetryLimit          INTEGER,
dot11FragmentationThreshold     INTEGER,
dot11MaxTransmitMSDULifetime    Unsigned32,
dot11MaxReceiveLifetime        Unsigned32,
dot11ManufacturerID           DisplayString,
dot11ProductID               DisplayString }
【０００６】
ここで、ＭａｃＡｄｄｒｅｓｓは該無線インターフェースの媒体アクセス制御（ＭＡＣ：Ｍｅｄｉａ  Ａｃｃｅｓｓ  Ｃｏｎｔｒｏｌ）アドレスを表し、ＲＴＳＴｈｒｅｓｈｏｌｄは該無線インターフェースのデータ再送時間閾値を表し、ＳｈｏｒｔＲｅｔｒｙＬｉｍｉｔは該無線インターフェースのショートリトライ限界を表し、ＬｏｎｇＲｅｔｒｙＬｉｍｉｔは該無線インターフェースのロングリトライ限界を表し、ＦｒａｇｍｅｎｔａｔｉｏｎＴｈｒｅｓｈｏｌｄは該無線インターフェースで伝送されたパケットのフラグメンテーション閾値を表し、ＭａｘＴｒａｎｓｍｉｔＭＳＤＵＬｉｆｅｔｉｍｅは該無線インターフェースのＭＡＣサービスデータ単位の最大送信ライフタイムを表し、ＭａｘＲｅｃｅｉｖｅＬｉｆｅｔｉｍｅは該無線インターフェースの最大受信ライフタイムを表し、ＭａｎｕｆａｃｔｕｒｅｒＩＤはＡＰを製造するメーカーの識別子を表し、ＰｒｏｄｕｃｔＩＤはＡＰの製品識別子を表す。該ＭＩＢテーブルによって、ネットワーク管理者はＦａｔ  ＡＰの無線インターフェースに対してパラメータ配置を行うことができる。
【発明の概要】
【発明が解決しようとする課題】
【０００７】
Ｆａｔ  ＡＰの管理が比較的複雑で、例えば、１つの企業のＷＬＡＮにＦａｔ  ＡＰが何百もまたは何千も含まれる可能性があるため、管理者が各Ｆａｔ  ＡＰに対して単独で管理を行うことが必要となり、ネットワーク管理の操作コストが非常に高くなる。このため、インターネット技術タスクフォース（ＩＥＴＦ：Ｉｎｔｅｒｎｅｔ  Ｅｎｇｉｎｅｅｒｉｎｇ  Ｔａｓｋ  Ｆｏｒｃｅ）のＣＡＰＷＡＰ（Ｃｏｎｆｉｇｕｒａｔｉｏｎ  ａｎｄ  ｐｒｏｖｉｓｉｏｎｉｎｇ  ｆｏｒ  Ｗｉｒｅｌｅｓｓ  Ａｃｃｅｓｓ  Ｐｏｉｎｔ）ワーキンググループ（ＷＧ：ＷｏｒｋＧｒｏｕｐ）によりＦｉｔ  ＡＰの概念が提出されている。Ｆｉｔ  ＡＰは主にパケット確認、ビーコンフレームの送信などのようなリアルタイム機能を実現するが、Ｆｉｔ  ＡＰに対する管理、ユーザ認証などの機能について、アクセスコントローラ（ＡＣ：Ａｃｃｅｓｓ  Ｃｏｎｔｒｏｌｌｅｒ）と協力して実現する必要があり、ＡＣがＣＡＰＷＡＰプロトコルに従ってＡＰに対して集中管理を行う。
【課題を解決するための手段】
【０００８】
ＡＰに対して配置および管理を行うことを実現するように、本発明実施例はＡＰの配置および管理方法、並びにＡＣを提供している。
【０００９】
本発明の実施例に係るＡＣに応用されるＡＰ配置方法は、
標準ＭＩＢインターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応し、
物理無線インターフェースに配置情報を送信する必要がある場合、前記仮想無線インターフェースに対応する物理無線インターフェースを決定し、決定された物理無線インターフェースに前記仮想無線インターフェースの配置情報を送信する、ことを含む。
【００１０】
また、本発明の実施例では、ＡＣに応用されるＡＰ管理方法が提供されている。該方法は、
標準ＭＩＢインターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応し、
物理無線インターフェースに対して管理を行う必要がある場合、前記物理無線インターフェースに対応する仮想無線インターフェースを決定し、決定された仮想無線インターフェースに対して、前記物理無線インターフェースの管理情報を記憶する、ことを含む。
【００１１】
また、本発明の実施例では、他のＡＰ管理方法が提供されている。該方法は、標準ＭＩＢに基づいて予め確立された、ＡＰの物理無線インターフェースに対応する仮想無線インターフェースを介して、ネットワーク管理者による物理無線インターフェースへの管理を行う、ことを含む。
【００１２】
また、本発明の実施例に係るＡＣは、
標準ＭＩＢインターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応する第１モジュールと、
前記物理無線インターフェースに対応する仮想無線インターフェースを決定し、決定された仮想無線インターフェースの配置情報を前記物理無線インターフェースに送信し、ここで、前記決定された仮想無線インターフェースの配置情報が前記標準ＭＩＢに従って配置されたものである第２モジュールと、を含む。
【００１３】
また、本発明の実施例に係る他のＡＣは、
標準ＭＩＢインターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応する第１モジュールと、
ＡＰの物理無線インターフェースに対して管理を行う場合、前記物理無線インターフェースに対応する仮想無線インターフェースを決定し、決定された仮想無線インターフェースに対して、前記物理無線インターフェースの管理情報を記憶する第２モジュールと、を含む。
【００１４】
また、本発明の実施例に係るコンピュータソフトウェアは、若干の指令を含み、上記のような方法をＡＣに実行させる。
【発明の効果】
【００１５】
従来技術に比べて、本発明の実施例では、ＡＣにおいて、管理対象となる各Ｆｉｔ  ＡＰの各無線インターフェースに対して仮想無線インターフェースを確立し、各仮想無線インターフェースに対して標準ＭＩＢ規格に基づくインターフェースインデックスを設定し、仮想無線インターフェースのインターフェースインデックスとＡＰ識別子＋無線インターフェース識別子との対応関係を記憶する。このように、ネットワーク管理者は、標準ＭＩＢ規格に基づくインターフェースインデックスを用いて、ある特定の仮想無線インターフェースを検索でき、さらに、管理対象となるあるＦｉｔ  ＡＰのある無線インターフェースを検索できる。ネットワーク管理者にとって、ＡＣで管理される複数のＦｉｔ  ＡＰの組合せは１つのＦａｔ  ＡＰに類似する。このように、本発明の実施例に係るＦｉｔ  ＡＰ操作方法およびＡＣによれば、ＡＣが標準ＭＩＢ規格を再利用して、Ｆｉｔ  ＡＰに対する配置および管理を実現し、Ｆｉｔ  ＡＰに対する管理コストを削減することができる。
【図面の簡単な説明】
【００１６】
【図１】Ｆｉｔ  ＡＰに基づく従来のＷＬＡＮのアーキテクチャを示す図である。
【図２】本発明の実施例に係るＦｉｔ  ＡＰに対して配置を行うフローチャートである。
【図３】本発明の実施例に係るＦｉｔ  ＡＰに対して配置および管理を行うフローチャートである。
【図４】本発明の実施例に係るＳＮＭＰに従ってＤｏｔ１１ＯｐｅｒａｔｉｏｎＴａｂｌｅを検索するフローチャートである。
【図５】本発明の実施例に係るＦｉｔ  ＡＰに基づくＷＬＡＮのアーキテクチャにおけるＡＣの構成を示す図である。
【図６】本発明の実施例に係るＦｉｔ  ＡＰに基づくＷＬＡＮのアーキテクチャにおけるＡＣの構成を示す図である。
【発明を実施するための形態】
【００１７】
以下、図面および具体的な実施例を参照して本発明をさらに詳しく説明する。本実施形態では、８０２．１１の標準ＭＩＢの再利用を例として紹介する。
【００１８】
図１はＦｉｔ  ＡＰに基づく従来のＷＬＡＮのアーキテクチャを示す図である。図１に示すように、無線ユーザにアクセスを提供する前に、各ＡＣはＦｉｔ  ＡＰに対するパラメータ配置を完成しなければならない。また、ユーザがアクセスした後、ネットワーク管理者のＡＰ管理を便利にするために、ＡＣは各Ｆｉｔ  ＡＰからの各無線インターフェースの状態統計情報を記憶する。
【００１９】
ＣＡＰＷＡＰプロトコルで定義された集中型ＷＬＡＮのアーキテクチャでは、ＡＣにおけるＳＮＭＰ  Ａｇｅｎｔによって、全てのＦｉｔ  ＡＰに対する無線パラメータ配置、および全てのＦｉｔ  ＡＰの状態統計情報のネットワークへの提供が実現されることができる。一般的に、Ｆｉｔ  ＡＰ自体においてＳＮＭＰ  Ａｇｅｎｔを提供する必要がなく、ＡＣにおいてＳＮＭＰ  Ａｇｅｎｔサービスを提供するだけで、ネットワーク管理者はＡＣにおけるＳＮＭＰ  Ａｇｅｎｔを介してＡＰに対する配置を実現することができる。
【００２０】
既存の無線技術規格（例えば８０２．１１系の規格）で定義されたＭＩＢは、通常、ＡＰの無線物理インターフェース（Ｒａｄｉｏ）のインターフェースインデックス（例えばＩｆｉｎｄｅｘ）を用いてＡＰに対して操作を行うものであるが、ＡＣに実際の無線物理インターフェースがないため、既存の無線技術規格で定義されたＭＩＢをそのまま利用してＦｉｔ  ＡＰを操作（例えば管理および配置）することは大きな困難を伴う。
【００２１】
このような状況に対して、現在、ＣＡＰＷＡＰプロトコルをサポートするＦｉｔ  ＡＰに対する操作要求を満たすように、プライベートなＭＩＢ規格を制定したメーカーがある。しかし、このような方式は、８０２．１１プロトコルのＭＩＢ規格をサポートしないため、プライベートＭＩＢをサポートするように、従来のネットワーク管理ソフトウェアをさらに開発せざるをえないという欠点がある。一番厳しい問題として、異なるＭＩＢ規格を採用した複数のメーカーの無線機器がネットワークに現れる場合、これらの無線機器に対する管理コストが大幅に増加する。また、ＩＥＴＦでＣＡＰＷＡＰワーキンググループが設立される目標からみて、８０２．１１の新たな拡張規格に合わせるために相応のＭＩＢを改めて定義することは容認できない。その原因として、ＣＡＰＷＡＰプロトコルは、現在の８０２．１１規格を満たす必要があるだけではなく、８０２．１６ないしＲＦＩＤを柔軟にサポートできることも必要である。また、相応に、これはＣＡＰＷＡＰ  ＭＩＢ規格の設計に挑戦している。
【００２２】
このため、Ｆｉｔ  ＡＰに対する配置および管理のコストを削減するように、既存の無線技術規格（例えば：８０２．１１規格）および以降の新たな無線技術規格（例えば：８０２．１１拡張規格）を再利用できるＡＰ操作技術を緊急に必要とする。
【００２３】
本発明の実施例はＦｉｔ  ＡＰに対して配置管理を行う方法を提供している。該方法は、標準ＭＩＢインターフェースインデックスに基づく少なくとも１つの仮想無線インターフェースを確立し、前記各仮想無線インターフェースが少なくとも１つのＦｉｔ  ＡＰの少なくとも１つの物理無線インターフェースに対応し、Ｆｉｔ  ＡＰの物理無線インターフェースに対して配置を行う場合、前記対応関係に基づいて、前記物理無線インターフェースに対応する仮想無線インターフェースを決定し、前記仮想無線インターフェースに対して前記標準ＭＩＢに従って配置された情報を前記物理無線インターフェースに送信し、ＡＰの物理無線インターフェースに対して管理を行う場合、前記対応関係に基づいて、前記物理無線インターフェースに対応する仮想無線インターフェースを決定し、前記仮想無線インターフェースに対して管理情報を記憶する、ことを含む。以下、Ｆｉｔ  ＡＰの無線インターフェースに対して配置操作および管理操作を行う際の具体的な手順をそれぞれ紹介する。
【００２４】
図２は本発明の実施例に係るＦｉｔ  ＡＰの各無線インターフェースに対して配置を行うフローチャートである。図２に示すように、具体的な手順は以下のとおりである。
【００２５】
ステップ２０１で、ＡＣにおいて、管理対象となる各Ｆｉｔ  ＡＰの各物理無線インターフェースに対して、無線テンプレート（Ｒａｄｉｏ  Ｔｅｍｐｌａｔｅ）とも呼ばれる仮想無線インターフェース（Ｖｉｒｔｕａｌ  Ｒａｄｉｏ  Ｉｎｔｅｒｆａｃｅ）を確立する。各仮想無線インターフェースに対して一意のインターフェースインデックス（Ｉｆｉｎｄｅｘ）を割り当てる。各仮想無線インターフェースは、管理対象となる少なくとも１つのＦｉｔ  ＡＰの少なくとも１つの無線インターフェースに対応する。ここで、管理対象となる各物理無線インターフェースは、その所属するＡＰ識別子および自身の物理無線インターフェース識別子により識別することができる。即ち、ＡＰ識別子と物理無線インターフェース識別子とを組合せて物理無線インターフェースの一意の識別子を構成する。各仮想無線インターフェースのインターフェースインデックスと管理対象のＦｉｔ  ＡＰ識別子＋物理無線インターフェース識別子との対応関係を記憶する。例えば、無線テンプレート３のインデックスが３に設定され、それに対応する無線インターフェースのＦｉｔ  ＡＰ識別子が００１となり、無線インターフェース識別子が０１０となる。無線テンプレート９のインデックスが９に設定され、それに対応する無線インターフェースのＦｉｔ  ＡＰ識別子が０１０となり、無線インターフェース識別子が１００となる。ここで、インターフェースインデックスと物理無線インターフェースとの対応関係は特に限定されない。
【００２６】
仮想無線インターフェースは、実際の物理無線インターフェースではなく、論理インターフェースであり、論理上、１つまたは複数の物理無線インターフェースを表す。説明すべきものとして、管理対象となる２つ以上の物理無線インターフェースの配置情報が同じである場合、この２つ以上の物理無線インターフェースに対して同一の仮想無線インターフェースを確立するようにしてもよい。
【００２７】
本実施形態では、仮想無線インターフェースのＩｆｉｎｄｅｘの設定は、標準ＭＩＢ規格、例えば、既存の８０２．１１系の規格（８０２．１１系の規格に限られない）のＭＩＢに適合すべきである。このように、ネットワーク管理者は、８０２．１１の標準ＭＩＢのＩｆｉｎｄｅｘを介して、ある特定の仮想無線インターフェースを検索することができる。ネットワーク管理者にとって、ＡＣで管理される複数のＦｉｔ  ＡＰの組合せは８０２．１１規格における１つのＦａｔ  ＡＰに類似し、ＡＣのＡｇｅｎｔはこのＦａｔ  ＡＰのＡｇｅｎｔのようである。従って、本発明の実施例によるＡＣは、既存の無線アクセス技術における少なくとも１つの標準ＭＩＢを再利用することができる。もちろん、これらのＭＩＢは既に関連規格に定義され、ここで説明を省略する。
【００２８】
ステップ２０２で、Ｆｉｔ  ＡＰがオンラインになる前に、上記標準ＭＩＢ規格に従って、各仮想無線インターフェースに対して、該仮想無線インターフェースに対応する物理無線インターフェースの無線パラメータ情報を配置する。
【００２９】
本ステップにおける操作「上記標準ＭＩＢ規格に従って、各仮想無線インターフェースに対して、該仮想無線インターフェースに対応する物理無線インターフェースの無線パラメータ情報を配置する」は、ネットワーク管理者などによって実行されるようにしてもよい。
【００３０】
無線パラメータは、ビーコン間隔、ＷＥＰ  ｋｅｙ暗号などのパラメータを含むようにしてもよい。例えば、ネットワーク管理者は、ＳＮＭＰを利用して、標準ＭＩＢ規格に適合するＩｆｉｎｄｅｘ（例えばｄｏｔ１１ＯｐｅｒａｔｉｏｎＴａｂｌｅ）を検索して、仮想無線インターフェースを得てから、該仮想無線インターフェースのパラメータを設定するようにしてもよい。本ステップにおいて、配置されるパラメータは具体的な無線プロトコル技術によって決定される。
【００３１】
仮想無線インターフェースがどのＦｉｔ  ＡＰのどの物理無線インターフェースに対応するかをさらに明らかに表すために、仮想無線インターフェースに対して別名パラメータを設定するようにしてもよい。該別名パラメータの値が該仮想無線インターフェースに対応するＦｉｔ  ＡＰ識別子および物理無線インターフェース識別子である。例えば、
＞＞＞＞＞  ［ＡＣ］  ｉｎｔｅｒｆａｃｅ  ｗｌａｎ−ｒａｄｉｏ−ｔｅｍｐｌａｔｅ  １
＞＞＞＞＞ここで、仮想無線インターフェース１の無線パラメータを配置することができる。この配置は、該仮想無線インターフェースを識別するための別名の配置を含む。
＞＞＞＞＞  ［ＡＣ］  ｉｎｔｅｒｆａｃｅ  ｗｌａｎ−ｒａｄｉｏ−ｔｅｍｐｌａｔｅ  ２
＞＞＞＞＞ここで、仮想無線インターフェース２の無線パラメータを配置することができる。この配置は、該仮想無線インターフェースを識別するための別名の配置を含む。
【００３２】
ステップ２０１によれば、仮想無線インターフェースが実際のあるＦｉｔ  ＡＰのある物理無線インターフェースに対応するため、これらの準備ができた後、ＡＣ  Ａｇｅｎｔは、あるＦｉｔ  ＡＰのある物理無線インターフェースに対する無線パラメータ配置を知る。
【００３３】
ステップ２０３で、Ｆｉｔ  ＡＰは動的ホスト構成プロトコル（ＤＨＣＰ：Ｄｙｎａｍｉｃ  Ｈｏｓｔ  Ｃｏｎｆｉｇｕｒａｔｉｏｎ  Ｐｒｏｔｏｃｏｌ）サーバからＡＣのＩＰアドレス情報を取得する。
【００３４】
ステップ２０４で、Ｆｉｔ  ＡＰは取得されたＡＣのＩＰアドレス情報に基づいて、ＡＣとのセキュリティ認証を行う。
【００３５】
ステップ２０５で、セキュリティ認証を通過した後、Ｆｉｔ  ＡＰはアクセス要求をＡＣに送信する。
【００３６】
ステップ２０６で、ＡＣから返信されたアクセス応答を受信したＦｉｔ  ＡＰは、Ｆｉｔ  ＡＰ識別子および該Ｆｉｔ  ＡＰの物理無線インターフェース識別子が付けられている配置要求をＡＣに送信する。
【００３７】
ステップ２０７で、該配置要求を受信したＡＣは、自身に記憶されている、仮想無線インターフェースのインターフェースインデックスと管理対象のＦｉｔ  ＡＰ識別子＋物理無線インターフェース識別子との対応関係から、該要求に付けられているＦｉｔ  ＡＰ識別子および物理無線インターフェース識別子に対応する仮想無線インターフェースのインターフェースインデックスを検索する。
【００３８】
ステップ２０８で、ＡＣは検索された仮想無線インターフェースのインターフェースインデックスに基づいて仮想無線インターフェースを検索し、仮想無線インターフェースの配置情報および対応の物理無線インターフェース識別子を配置応答に付けてＦｉｔ  ＡＰに送信する。
【００３９】
８０２．１１規格で定義されたｄｏｔ１１ＯｐｅｒａｔｉｏｎＴａｂｌｅの配置応答メッセージのフォーマットは、以下のとおりであってよい。
【００４０】
【表１】
2009542165.tif 000003
【００４１】
ここで、ＲａｄｉｏＩＤは物理無線インターフェース識別子であり、Ｒｅｓｅｒｖｅｄは保留フィールドであり、ＲＴＳ  Ｔｈｒｅｓｈｏｌｄは再送時間閾値であり、Ｓｈｏｒｔ  Ｒｅｔｒｙはショートリトライ限界であり、Ｌｏｎｇ  Ｒｅｔｒｙはロングリトライ限界であり、Ｆｒａｇｍｅｎｔａｔｉｏｎ  Ｔｈｒｅｓｈｏｌｄはパケットのフラグメンテーション閾値であり、Ｔｘ  ＭＳＤＵ  ＬｉｆｅｔｉｍｅはＭＳＤＵの最大送信ライフタイムであり、Ｒｘ  ＭＳＤＵ  Ｌｉｆｅｔｉｍｅは最大受信ＭＳＤＵライフタイムである。
【００４２】
ステップ２０９で、該配置応答を受信したＦｉｔ  ＡＰは、該配置応答に付けられている配置情報および物理無線インターフェース識別子に基づいて、該配置情報を物理無線インターフェース識別子に対応する物理無線インターフェースにそれぞれ配置する。
【００４３】
図２に示す実施例からわかるように、ＡＣにおいて、管理対象となる各Ｆｉｔ  ＡＰの各物理無線インターフェースに対して論理的な仮想無線インターフェースを確立するとともに、仮想無線インターフェースのインターフェースインデックスとＦｉｔ  ＡＰ識別子＋物理無線インターフェース識別子との対応関係を確立し、８０２．１１プロトコルで定義されたＭＩＢ規格に従って、ＳＮＭＰを介して該仮想無線インターフェースに対して無線パラメータ配置を行うことによって、ＣＡＰＷＡＰプロトコルをサポートするＡＣが、８０２．１１プロトコルで定義されたＭＩＢ規格を再利用できるようになり、Ｆｉｔ  ＡＰに対する配置が実現され、Ｆｉｔ  ＡＰに対する管理コストが低減している。
【００４４】
図３は本発明の実施例に係るＦｉｔ  ＡＰに対して配置および管理を行うフローチャートである。図３に示すように、その具体的な手順は以下のとおりである。
【００４５】
ステップ３０１で、ＡＣにおいて、管理対象となる各Ｆｉｔ  ＡＰの各物理無線インターフェースに対して仮想無線インターフェースを確立する。各仮想無線インターフェースに対して一意のインターフェースインデックスを割り当てる。仮想無線インターフェースのＩｆｉｎｄｅｘと管理対象のＦｉｔ  ＡＰ識別子＋物理無線インターフェース識別子との対応関係を記憶する。
【００４６】
仮想無線インターフェースは、実際の物理無線インターフェースではなく、論理インターフェースであり、論理上、１つの物理無線インターフェースを表す。
【００４７】
本実施例では、仮想無線インターフェースのＩｆｉｎｄｅｘの設定は、既存の８０２．１１系の規格（８０２．１１系の規格に限られない）のＭＩＢに適合すべきである。即ち、ネットワーク管理者は、８０２．１１プロトコルで定義されたＭＩＢのＩｆｉｎｄｅｘを介して、ある特定の仮想無線インターフェースを検索することができる。このように、ネットワーク管理者にとって、ＡＣで管理される複数のＦｉｔ  ＡＰの組合せは８０２．１１プロトコルにおける１つのＦａｔ  ＡＰに類似し、ＡＣ  ＡｇｅｎｔはこのＦａｔ  ＡＰのＡｇｅｎｔのようである。従って、本発明の実施例によるＡＣは、既存の無線アクセス技術における少なくとも１つの標準ＭＩＢを再利用することができる。もちろん、これらのＭＩＢは既に関連規格に定義され、ここで説明を省略する。
【００４８】
ステップ３０２で、Ｆｉｔ  ＡＰがオンラインになる前に、ネットワーク管理者は、上記８０２．１１プロトコルのＭＩＢに従って、各仮想無線インターフェースに対して、該仮想無線インターフェースに対応する物理無線インターフェースの無線パラメータ情報を配置する。
【００４９】
無線パラメータは、ビーコン間隔、ＷＥＰ  ｋｅｙ暗号などのパラメータを含むようにしてもよい。例えば、ネットワーク管理者は、ＳＮＭＰを利用して、標準ＭＩＢ規格に適合するＩｆｉｎｄｅｘ（例えばｄｏｔ１１ＯｐｅｒａｔｉｏｎＴａｂｌｅ）を検索して、仮想無線インターフェースを得てから、該仮想無線インターフェースのパラメータを設定するようにしてもよい。
【００５０】
ステップ３０１によれば、仮想無線インターフェースが実際のあるＦｉｔ  ＡＰのある物理無線インターフェースに対応するため、これらの準備ができた後、ＡＣ  Ａｇｅｎｔは、あるＦｉｔ  ＡＰのある物理無線インターフェースに対する無線パラメータ配置を知る。
【００５１】
ステップ３０３で、Ｆｉｔ  ＡＰは、オンラインになり、プロトコルメッセージによりＡＣのＩＰアドレスなどのネットワーク配置情報を取得し、該ＩＰアドレスに基づいてＡＣを発見する。
【００５２】
ステップ３０４で、Ｆｉｔ  ＡＰは自身の識別子、自身の物理無線インターフェース識別子および物理無線インターフェースの現在状態情報が付けられているプロトコルメッセージをＡＣに送信する。
【００５３】
物理無線インターフェースの状態は、物理無線インターフェースの操作状態やＭＡＣアドレスなどを含む。
【００５４】
本ステップにおいて、異なる通信管理プロトコルで定義されたプロトコルメッセージのフォーマット、内容が異なるため、Ｆｉｔ  ＡＰとＡＣとの間に異なる通信管理プロトコルを採用する場合、Ｆｉｔ  ＡＰからＡＣへ送信されるプロトコルメッセージに付けられる物理無線インターフェースの状態情報も異なる可能性がある。
【００５５】
ステップ３０５で、Ｆｉｔ  ＡＰからのプロトコルメッセージを受信したＡＣは、自身に配置されている、仮想無線インターフェースのＩｆｉｎｄｅｘとＦｉｔ  ＡＰ識別子＋物理無線インターフェース識別子との対応関係に基づいて、該プロトコルメッセージに付けられているＦｉｔ  ＡＰ識別子および物理無線インターフェース識別子に対応するＩｆｉｎｄｅｘを検索してから、Ｉｆｉｎｄｅｘに対応する仮想無線インターフェースに対して、該プロトコルメッセージに付けられている物理無線インターフェースの現在状態情報を記憶する。
【００５６】
ステップ３０６で、ＡＣはＩｆｉｎｄｅｘとＦｉｔ  ＡＰ識別子および物理無線インターフェース識別子との対応関係に基づいて、各Ｉｆｉｎｄｅｘに対応するＦｉｔ  ＡＰ識別子＋物理無線インターフェース識別子を決定してから、ステップ３０２でＩｆｉｎｄｅｘに対応する仮想無線インターフェースに対して配置されたパラメータ情報と物理無線インターフェース識別子とを、プロトコルメッセージに付けてＡＰに送信する。
【００５７】
または、ステップ３０２において、ネットワーク管理者が仮想無線インターフェースに対してパラメータ情報を配置した後、ＡＣは、ステップ３０１の対応関係から該仮想無線インターフェースのＩｆｉｎｄｅｘに対応するＦｉｔ  ＡＰ識別子＋物理無線インターフェース識別子を検索してから、該仮想無線インターフェースに対して配置されたパラメータ情報とＦｉｔ  ＡＰ識別子＋物理無線インターフェース識別子との対応関係を別途に記憶するようにしてもよい。このように、本ステップ３０６において、ＡＣは、対応関係の検索を行うことなく、直接に該対応関係に基づいて、Ｆｉｔ  ＡＰの各物理無線インターフェースの識別子および各物理無線インターフェースのパラメータ情報を、プロトコルメッセージに付けてＦｉｔ  ＡＰに送信することが可能になる。
【００５８】
ステップ３０７で、ＡＣからのプロトコルメッセージを受信したＦｉｔ  ＡＰは、プロトコルメッセージに付けられている物理無線インターフェース識別子に対応する物理無線インターフェースに対して、該プロトコルメッセージに付けられているパラメータ情報を配置する。
【００５９】
ステップ３０８で、Ｆｉｔ  ＡＰは、各物理無線インターフェースを配置した後、動作状態に入り、ＷＬＡＮアクセスサービスのユーザへの提供を開始する。
【００６０】
ステップ３０９で、Ｆｉｔ  ＡＰは、所定の時間間隔ごとに、自身の識別子、自身の物理無線インターフェース識別子、物理無線インターフェースの現在状態、および物理無線インターフェース統計データが付けられているプロトコルメッセージをＡＣに送信する。
【００６１】
物理無線インターフェースの状態は、物理無線インターフェースの操作状態などを含み、具体的な内容が、Ｆｉｔ  ＡＰとＡＣとの間で採用された通信管理プロトコルによって決定される。物理無線インターフェースの統計データは、物理無線インターフェースの送受信パケット数などを含み、具体的な内容が、Ｆｉｔ  ＡＰとＡＣとの間で採用された通信管理プロトコルによって決定される。
【００６２】
ステップ３１０で、Ｆｉｔ  ＡＰからのプロトコルメッセージを受信したＡＣは、自身に配置されている、仮想無線インターフェースのＩｆｉｎｄｅｘとＦｉｔ  ＡＰ識別子＋物理無線インターフェース識別子との対応関係に基づいて、該プロトコルメッセージに付けられているＦｉｔ  ＡＰ識別子および物理無線インターフェース識別子に対応するＩｆｉｎｄｅｘを検索してから、該プロトコルメッセージに付けられている物理無線インターフェースの現在状態および統計データで、該Ｉｆｉｎｄｅｘに対応する仮想無線インターフェースに対して、状態および統計データ情報をリフレッシュする。
【００６３】
実際の応用には、Ｆｉｔ  ＡＰに対する集中管理を実現するように、ネットワーク管理者がＦｉｔ  ＡＰの状態や統計データなどの情報をＡＣに問い合わせることがある。以下、ＳＮＭＰに従ってＤｏｔ１１ＯｐｅｒａｔｉｏｎＴａｂｌｅを検索してＦｉｔ  ＡＰの状態や統計データなどの情報を取得することを例として詳しく説明する。
【００６４】
図４は本発明の実施例に係るＳＮＭＰに従ってＤｏｔ１１ＯｐｅｒａｔｉｏｎＴａｂｌｅを検索するフローチャートである。図４に示すように、その具体的な手順は以下のとおりである。
【００６５】
ステップ４０１で、ネットワーク管理者は、あるＦｉｔ  ＡＰの状態や状態統計情報などを問い合わせようと決定した場合、ＳＮＭＰメッセージによりＦｉｔ  ＡＰ識別子＋物理無線インターフェース識別子に対応する仮想無線インターフェースのＩｆｉｎｄｅｘをＡＣから取得する。
【００６６】
ステップ４０２で、ネットワーク管理者は、Ｉｆｉｎｄｅｘが付けられているＳＮＭＰ要求をＡＣに送信する。
【００６７】
ステップ４０３で、該ＳＮＭＰ要求を受信したＡＣ  Ａｇｅｎｔは、該要求におけるＩｆｉｎｄｅｘに基づいてＤｏｔ１１ＯｐｅｒａｔｉｏｎＴａｂｌｅを検索し、ＳＮＭＰ応答により、状態情報や状態統計情報などのような該Ｄｏｔ１１ＯｐｅｒａｔｉｏｎＴａｂｌｅ内のデータをネットワーク管理者に返信する。
【００６８】
図３、図４に示す実施例からわかるように、ＡＣにおいて、管理対象となる各Ｆｉｔ  ＡＰの各物理無線インターフェースに対して論理的な仮想無線インターフェースを確立し、仮想無線インターフェースのＩｆｉｎｄｅｘとＦｉｔ  ＡＰ識別子＋物理無線インターフェース識別子との対応関係を確立することによって、ネットワーク管理者は８０２．１１プロトコルで定義されたＭＩＢに従って、該仮想無線インターフェースに対して無線パラメータ配置を行うことができるとともに、ＡＣは８０２．１１プロトコルで定義されたＭＩＢに従って、該仮想無線インターフェースに対して、Ｆｉｔ  ＡＰからの物理無線インターフェースの状態および状態統計情報などを記憶することができる。従って、ＣＡＰＷＡＰをサポートするＡＣが、８０２．１１プロトコルで定義されたＭＩＢ規格を再利用できるようになり、Ｆｉｔ  ＡＰに対する配置および管理が実現され、Ｆｉｔ  ＡＰに対する管理コストが低減している。
【００６９】
また、本発明の実施例は、無線ネットワークに応用されるＡＰの配置および管理方法を提供している。ここで、無線ネットワークは少なくとも、１つのＡＣと、ＡＣにより制御されることが可能な１つまたは複数のＡＰとを含む。ＡＣとネットワーク管理者との間は、ネットワーク管理者による管理を受けるための管理チャネルを有する。また、ＡＣはネットワーク管理者にとって可視である１つまたは複数の仮想無線インターフェースを含み、各仮想無線インターフェースが少なくとも１つの物理無線インターフェースに対応する。
【００７０】
ＡＣは、ネットワーク管理者の仮想無線インターフェースに対する配置情報を受信した後、仮想無線インターフェースとあるＡＰのある物理無線インターフェースとの対応関係に基づいて、ＡＰとの間のチャネルを介して配置情報を該物理無線インターフェースに送信する。ＡＰがオンラインになることを検出した場合、ＡＣは、該仮想無線インターフェースとあるＡＰのある物理無線インターフェースとの対応関係に基づいて、ＡＰとの間のチャネルを介して配置情報を該物理無線インターフェースに送信する。
【００７１】
ＡＣは、あるＡＰのある物理無線インターフェースに対応する仮想無線インターフェースに対して、該ＡＰから報告された該物理無線インターフェースの情報を記憶し、ネットワーク管理者が情報を問い合わせる場合、ＡＣとネットワーク管理者との間の管理チャネルを介して情報をネットワーク管理者に送信する。
【００７２】
また、本発明の実施例は、分散型無線ネットワークに応用されるＡＰの配置および管理方法を提供している。ここで、分散型無線ネットワークは少なくとも、１つのＡＣと、ＡＣにより管理される少なくとも１つのＡＰとを含む。ＡＣで予め確立された、ＡＰのある物理無線インターフェースに一意に対応する仮想無線インターフェースに対して、該物理無線インターフェースの配置情報を記憶する。ネットワーク管理者が前記配置情報を問い合わせる場合、ＡＣは管理チャネルを介して前記配置情報をネットワーク管理者に送信する。ネットワーク管理者のある仮想無線インターフェースに対する配置情報を受信した場合、ＡＣはＡＣとＡＰとの間のチャネルを介して配置情報を仮想無線インターフェースに対応するＡＰの無線物理インターフェースに送信する。
【００７３】
ここで、管理チャネルはＡＣとＡＰとの間のチャネルと異なる。管理チャネルはＳＮＭＰに基づくものであるが、ＡＣとＡＰとの間のチャネルはＣＡＰＷＡＰに基づくものである。
【００７４】
ＡＣは、各仮想無線インターフェースに対して一意のインターフェースインデックスを割り当てることによって、ネットワーク管理者にとって可視であることを実現する。ＡＰから報告されるある物理無線インターフェースの情報は、配置情報、および／または状態情報、および／または状態統計情報を含む。
【００７５】
上記過程からわかるように、ＣＡＰＷＡＰの配置および管理のやりとり過程にとって、何の変化もないが、ネットワーク管理者にとって、本発明の実施例に係る方法と、標準ＭＩＢ（各種の標準化団体により認可して発布されたＭＩＢ、または事実上の非プライベートＭＩＢ（パブリックＭＩＢとも呼ばれる）のようなもの、例えば８０２．１１プロトコルで定義されたＭＩＢ）とを組み合わせて、１つのＡＣにより制御される全てのＦｉｔ  ＡＰの全ての物理無線インターフェースを配置および管理することができる。ネットワーク管理者にとって、１つのＡＣに対する管理は、複数の物理無線インターフェースを有する１つのＦａｔ  ＡＰに対する管理のようである。
【００７６】
以下、本発明のＡＣに対する改良を紹介する。説明すべきものとして、以下で紹介するＡＣに対する改良が論理上のものである。論理上の機器分割が様々であるが、それが視点または標準の違いに過ぎず、本質が同じであることは、当業者であれば理解すべきである。
【００７７】
本発明の実施例では、ＡＣは、仮想無線インターフェース確立モジュールと、配置モジュールと、管理モジュールとを含むようにしてもよい。仮想無線インターフェース確立モジュールは、標準ＭＩＢインターフェースインデックスをそれぞれ有する少なくとも１つの仮想無線ンターフェースを確立し、各仮想無線インターフェースが少なくとも１つのＡＰの少なくとも１つの物理無線インターフェースに対応する。配置モジュールは、ＡＰの物理無線インターフェースに対して配置を行う場合、仮想無線インターフェースに対応する物理無線インターフェースを決定し、仮想無線インターフェースに対して標準ＭＩＢに従って配置された情報を対応の物理無線インターフェースに送信する。管理モジュールは、ＡＰの物理無線インターフェースに対して管理を行う場合、該物理無線インターフェースに対応する仮想無線インターフェースを決定し、決定された仮想無線インターフェースに対して、該物理無線インターフェースの管理情報を記憶する。
【００７８】
ここで、ＡＣは、仮想無線インターフェース確立モジュールおよび配置モジュールのみ、または、仮想無線インターフェース確立モジュールおよび管理モジュールのみを含むようにしてもよい。
【００７９】
上記実施例の上で、ＡＣは、仮想無線インターフェース確立モジュールで確立された仮想無線インターフェースのインターフェースインデックスとＦｉｔ  ＡＰ識別子＋物理無線インターフェース識別子との対応関係を記憶する対応関係記憶モジュールをさらに含むようにしてもよい。ここで、Ｆｉｔ  ＡＰ識別子＋物理無線インターフェース識別子のそれぞれによって、１つの物理無線インターフェースが識別される。
【００８０】
配置モジュールは、仮想無線インターフェース配置モジュールと、配置情報送信モジュールとを含むようにしてもよい。仮想無線インターフェース配置モジュールは、少なくとも１つの仮想無線インターフェースに対して、前記標準ＭＩＢ規格に従って無線パラメータ配置情報を配置する。配置情報送信モジュールは、Ｆｉｔ  ＡＰからの配置要求に付けられているＦｉｔ  ＡＰ識別子および物理無線インターフェース識別子に基づいて、配置要求に付けられているＦｉｔ  ＡＰ識別子＋物理無線インターフェース識別子に対応する仮想無線インターフェースを対応関係記憶モジュールから検索し、該仮想無線インターフェースの無線パラメータ配置情報および対応の物理無線インターフェース識別子を前記Ｆｉｔ  ＡＰに送信する。
【００８１】
管理モジュールは、管理情報記憶モジュールと、問い合わせ応答モジュールとを含むようにしてもよい。管理情報記憶モジュールは、Ｆｉｔ  ＡＰからの物理無線インターフェースの管理情報を受信し、該Ｆｉｔ  ＡＰ識別子＋物理無線インターフェース識別子に対応する仮想無線インターフェースのインターフェースインデックスを対応関係記憶モジュールから検索し、該インターフェースインデックスに対応する仮想無線インターフェースに対して該管理情報を記憶する。ここで、管理情報は、状態情報および状態統計情報を含むようにしてもよい。問い合わせ応答モジュールは、ネットワーク管理者からのＦｉｔ  ＡＰの物理無線インターフェースに対する問い合わせ要求を受信した後、該Ｆｉｔ  ＡＰ識別子＋物理無線インターフェース識別子に対応する仮想無線インターフェースのインターフェースインデックスを対応関係記憶モジュールから検索し、該インターフェースインデックスに対応する仮想無線インターフェースの管理情報をネットワーク管理者に送信する。
【００８２】
以下、２つの実施例でＡＣの構成を説明する。
図５は本発明の実施例に係るＦｉｔ  ＡＰに基づくＷＬＡＮのアーキテクチャにおけるＡＣの構成を示す図である。図５に示すように、ＡＣは主に以下のようなモジュールを含む。
【００８３】
仮想無線インターフェース確立モジュール５１は、ネットワーク管理者の指令で少なくとも１つの仮想無線インターフェースを確立し、各仮想無線インターフェースに対して標準ＭＩＢに基づくインターフェースインデックスを確立する。例えば、論理インターフェース３のインデックスは３であり、論理インターフェース９のインデックスは９である。このように、ネットワーク管理者は、ネットワーク管理プロトコルを利用して標準ＭＩＢにより検索して、ある仮想無線インターフェースを得てから、該仮想無線インターフェースに対応するＦｉｔ  ＡＰの物理無線インターフェースに対して配置および管理を行うことを確保することができる。
【００８４】
対応関係記憶モジュール５２は、仮想無線インターフェースのインターフェースインデックスとＦｉｔ  ＡＰ識別子＋物理無線インターフェース識別子との対応関係を記憶する。例えば、３はＦｉｔ  ＡＰ１の３番目の物理無線インターフェースを表し、９はＦｉｔ  ＡＰ３の２番目の物理無線インターフェースを表す。
【００８５】
仮想無線インターフェース配置モジュール５３は、ある仮想無線インターフェースに対して、ネットワーク管理者の該仮想無線インターフェースに対する配置情報を記憶する。通常、配置ファイルの形式で記憶する。ここで、機器内部の実現メカニズムがそれぞれ異なる場合があるため、ファイルのフォーマットも異なる可能性がある。ネットワーク管理者がＭＩＢにより配置情報を読取りまたは書き込む際、機器のＡｇｅｎｔが該配置ファイルから相応の内容を検索してネットワーク管理者に応答することが確保できるように設計するだけでよい。
【００８６】
配置情報送信モジュール５４は、Ｆｉｔ  ＡＰからのＦｉｔ  ＡＰ識別子およびＦｉｔ  ＡＰの各物理無線インターフェース識別子が付けられている配置要求に基づいて、該Ｆｉｔ  ＡＰ識別子および各物理無線インターフェース識別子に対応する各仮想無線インターフェースのインターフェースインデックスを対応関係記憶モジュール５２から取得し、仮想無線インターフェース配置モジュール５３が該仮想無線インターフェースに対して配置した無線パラメータ情報および対応の物理無線インターフェース識別子を、配置応答に付けてＦｉｔ  ＡＰに送信する。
【００８７】
図６は本発明の実施例に係るＦｉｔ  ＡＰに基づくＷＬＡＮのアーキテクチャにおけるＡＣの構成を示す図である。図６に示すように、ＡＣは主に以下のようなモジュールを含む。
【００８８】
仮想無線インターフェース確立モジュール５１は、ネットワーク管理者の指令で少なくとも１つの論理的な仮想無線インターフェースを確立し、該仮想無線インターフェースに対して標準ＭＩＢに基づくＩｆｉｎｄｅｘを確立する。例えば、仮想無線インターフェース３のＩｆｉｎｄｅｘは３であり、仮想無線インターフェース９のＩｆｉｎｄｅｘは９である。このように、ネットワーク管理者は、ＳＮＭＰのようなネットワーク管理プロトコルを利用して、標準ＭＩＢにより検索して、ある仮想無線インターフェースを得てから、該仮想無線インターフェースに対応するＦｉｔ  ＡＰの物理無線インターフェースに対して配置および管理を行うことを確保することができる。
【００８９】
対応関係記憶モジュール５２は、仮想無線インターフェースのＩｆｉｎｄｅｘとＦｉｔ  ＡＰ識別子＋物理無線インターフェース識別子との対応関係を記憶する。例えば、３はＦｉｔ  ＡＰ１の３番目の物理無線インターフェースを表し、９はＦｉｔ  ＡＰ３の２番目の物理無線インターフェースを表す。
【００９０】
仮想無線インターフェース配置モジュール５３は、ある仮想無線インターフェースに対して、ネットワーク管理者が該仮想無線インターフェースに対して配置したパラメータ情報を標準ＭＩＢ規格に従って記憶する。通常、配置ファイルの形式で記憶する。ここで、機器の内部実現にかかわり、メカニズムがそれぞれ異なる場合があるため、ファイルのフォーマットも異なる可能性がある。ネットワーク管理者が、配置されたパラメータ情報をＭＩＢにより読取りまたは書き込む際、ＡＣ  Ａｇｅｎｔが該配置ファイルから相応の内容を検索してネットワーク管理者に応答することが確保できるように設計するだけでよい。
【００９１】
配置情報送信モジュール５４は、Ｆｉｔ  ＡＰからのＦｉｔ  ＡＰ識別子およびＦｉｔ  ＡＰの各物理無線インターフェース識別子が付けられている配置要求に基づいて、該Ｆｉｔ  ＡＰ識別子および各物理無線インターフェース識別子に対応する各仮想無線インターフェースのＩｆｉｎｄｅｘを対応関係記憶モジュール５２から取得し、仮想無線インターフェース配置モジュール５３が該仮想無線インターフェースに対して配置した無線パラメータ情報および対応の物理無線インターフェース識別子をＦｉｔ  ＡＰに送信する。
【００９２】
状態統計モジュール５５は、Ｆｉｔ  ＡＰ識別子、物理無線インターフェース識別子、物理無線インターフェース状態統計データなどの情報が付けられているプロトコルメッセージをＦｉｔ  ＡＰから受信し、該Ｆｉｔ  ＡＰ識別子および物理無線インターフェース識別子に対応する仮想無線インターフェースのＩｆｉｎｄｅｘを対応関係記憶モジュール５２から取得し、仮想無線インターフェースのＩｆｉｎｄｅｘに基づいて仮想無線インターフェースを検索し、Ｉｆｉｎｄｅｘに対応する仮想無線インターフェースに対して、プロトコルメッセージにおける物理無線インターフェースの状態統計データなどの情報を記憶する。
【００９３】
問い合わせ応答モジュール５６は、Ｉｆｉｎｄｅｘが付けられているＳＮＭＰ問い合わせ要求を外部、例えばネットワーク管理者から受信し、仮想無線インターフェースのＩｆｉｎｄｅｘに基づいて仮想無線インターフェースを検索し、該仮想無線インターフェースの状態および状態統計情報などをＳＮＭＰ問い合わせ応答に付けてネットワーク管理者に返信する。
【００９４】
仮想無線インターフェース配置モジュール５３は、ある仮想無線インターフェースに対して、ネットワーク管理者が該仮想無線インターフェースに対して配置したパラメータ情報を標準ＭＩＢ規格に従って記憶する、ということを説明した。実際の応用では、仮想無線インターフェース配置モジュール５３は、仮想無線インターフェースに対して、ネットワーク管理者が仮想無線インターフェースに対して配置したパラメータ情報を前記標準ＭＩＢ規格に従って記憶した後、仮想無線インターフェースのインターフェースインデックスに対応するＦｉｔ  ＡＰの識別子＋物理無線インターフェース識別子を対応関係記憶モジュール５２から取得し、該仮想無線インターフェースに対して配置したパラメータとＦｉｔ  ＡＰの識別子＋物理無線インターフェース識別子との対応関係を別の配置記憶モジュールに記憶するようにしてもよい。該配置記憶モジュールは、配置されたパラメータとＦｉｔ  ＡＰの識別子＋物理無線インターフェース識別子との対応関係を記憶する。この場合、配置情報送信モジュール５４は、Ｆｉｔ  ＡＰからの配置要求に付けられているＦｉｔ  ＡＰ識別子および物理無線インターフェース識別子を取得した後、Ｆｉｔ  ＡＰ識別子および各物理無線インターフェース識別子に対応する各仮想無線インターフェースのＩｆｉｎｄｅｘを対応関係記憶モジュール５２から検索することなく、該Ｆｉｔ  ＡＰ識別子＋物理無線インターフェース識別子に対応するパラメータ配置情報を配置記憶モジュールから直接に読取り、該パラメータ配置情報および対応の物理無線インターフェース識別子をＦｉｔ  ＡＰに送信する。この点からみて、無線インターフェーステンプレートを確立し、そのインデックスとあるＦｉｔ  ＡＰのある物理無線インターフェースとの対応関係を記憶することは、ネットワーク管理機能と機器配置送信機能とをすきまのないように融合させるためである。
【００９５】
本発明の実施例に係る方法は、ＩＥＴＦのＣＡＰＷＡＰプロトコルをサポートする無線機器に適用するだけではなく、８０２．１１の拡張プロトコルをサポートする無線機器、および他の無線技術標準（例えばＲＦＩＤなど）をサポートする無線機器にも適用する。ＷＬＡＮの集中管理技術の発展は必ずしもＣＡＰＷＡＰプロトコルに限られず、無線アクセス技術の規格も現在の８０２．１１およびＲＦＩＤなどの技術のみに限られない。本発明の技術によれば、ＷＬＡＮの集中管理は手軽に既存のＭＩＢを流用することができ、新たな規格が現れるたびにＭＩＢを新たに開発することも、プライベートＭＩＢのために余計なネットワーク管理ソフトウェア開発を行うことも不要になる。
【００９６】
以上挙げた実施形態からみて、これらの実施形態は、コンピュータプログラムの発明に属し（本発明はハードウェアの実施形態を除外しない）、その本質が、様々な記憶媒体に搭載可能なコンピュータプログラム製品と表現される。上記紹介により、本発明は、コンピュータプログラム製品であって、若干の指令を含み、ハードウェアプラットフォーム（例えば、前述したＡＣ）に上記方法を実行させる、ということが当業者にとって明らかである。機器の観点から理解すると、本発明による機器は、上記コンピュータプログラム製品と、該コンピュータプログラムを実行するためのハードウェアプラットフォームとを含むようにしてもよい。
【００９７】
上記は、本発明の過程および方法の実施例にすぎず、本発明の保護範囲を限定するものではない。本発明の精神と原則内で行われる種々の修正、均等置換え、改善などは全て本発明の保護範囲内に含まれるべきである。
【符号の説明】
【００９８】
２０１〜２０９，３０１〜３１０；ステップ
【図１】
2009542165.tif 000004
【図２】
2009542165.tif 000005
【図３】
2009542165.tif 000006
【図４】
2009542165.tif 000007
【図５】
2009542165.tif 000008
【図６】
2009542165.tif 000009
【手続補正書】
【提出日】平成21年1月5日(2009.1.5)
【手続補正１】
【補正対象書類名】明細書
【補正対象項目名】００１０
【補正方法】削除
【補正の内容】
【手続補正２】
【補正対象書類名】明細書
【補正対象項目名】００１１
【補正方法】変更
【補正の内容】
【００１１】
また、本発明の実施例では、ＡＰ管理方法が提供されている。該方法は、標準ＭＩＢに基づいて予め確立された、ＡＰの物理無線インターフェースに対応する仮想無線インターフェースを介して、物理無線インターフェースへの管理を行う、ことを含む。
【手続補正３】
【補正対象書類名】明細書
【補正対象項目名】００１４
【補正方法】変更
【補正の内容】
【００１４】
本発明のある実施例に係る、少なくとも１つのアクセスポイントを制御するための集中型ＷＬＡＮに応用されるアクセスコントローラは、
アクセスポイントの物理無線インターフェースに対応する仮想無線インターフェースと、
前記仮想無線インターフェースに対する管理操作を受け、前記管理操作を、該仮想無線インターフェースに対応する物理無線インターフェースに対する操作にマッピングする配置モジュールと、を含む。
本発明のある実施例に係る、少なくとも１つのアクセスポイントを制御するための集中型ＷＬＡＮに応用されるアクセスコントローラは、
物理無線インターフェースのネットワーク管理エージェントとして使用される仮想無線インターフェースを含む。
本発明の実施例では、Ｆｉｔアクセスポイント（ＡＰ）が、アクセスコントローラ（ＡＣ）を含む集中型ＷＬＡＮに応用される。本発明の実施例に係るＦｉｔ  ＡＰ管理方法は、
ＡＣとネットワーク管理者との間の管理チャネルを介して、ＡＣの仮想無線インターフェースに対するネットワーク管理操作を受け、ここで、前記仮想無線インターフェースが物理無線インターフェースに対応し、
ＡＣとＡＰとの間のチャネルを介して、前記仮想無線インターフェースに対するネットワーク管理操作に基づいて、前記仮想無線インターフェースに対応する物理無線インターフェースを制御する、ことを含む。
【手続補正４】
【補正対象書類名】特許請求の範囲
【補正対象項目名】全文
【補正方法】変更
【補正の内容】
【特許請求の範囲】
【請求項１】
アクセスコントローラ（ＡＣ）に応用されるアクセスポイント（ＡＰ）配置方法であって、
標準管理情報ベース（ＭＩＢ）インターフェースインデックスをそれぞれ有する少なくとも１つの仮想無線インターフェースを確立し、前記少なくとも１つの仮想無線インターフェースのそれぞれが少なくとも１つのＡＰの少なくとも１つの物理無線インターフェースに対応し、
物理無線インターフェースに配置情報を送信する必要がある場合、前記仮想無線インターフェースに対応する物理無線インターフェースを決定し、決定された物理無線インターフェースに前記仮想無線インターフェースの配置情報を送信する、
ことを含むことを特徴とする方法。
【請求項２】
物理無線インターフェースに対して管理を行う必要がある場合、前記物理無線インターフェースに対応する仮想無線インターフェースを決定し、決定された仮想無線インターフェースに対して前記物理無線インターフェースの管理情報を記憶する、
ことをさらに含むことを特徴とする請求項１に記載の方法。
【請求項３】
前記各物理無線インターフェースが、
前記各仮想無線インターフェースのインターフェースインデックスと各物理無線インターフェースの一意の識別子との対応関係に基づいて一意に識別されることを特徴とする請求項１または２に記載の方法。
【請求項４】
ＡＰからの配置要求を受信した場合、
前記各仮想無線インターフェースのインターフェースインデックスと各物理無線インターフェースの一意の識別子との対応関係に基づいて、前記配置要求に付けられている物理無線インターフェースに対応する仮想無線インターフェースのインターフェースインデックスを決定し、
前記仮想無線インターフェースの配置情報を配置応答として前記ＡＰに送信する、
ことを特徴とする請求項３に記載の方法。
【請求項５】
物理無線インターフェースに対して管理を行う必要がある場合、
ＡＰからの物理無線インターフェースの管理情報を受信し、
前記物理無線インターフェースに対応する仮想無線インターフェースのインターフェースインデックスを決定し、
決定されたインターフェースインデックスに対応する仮想無線インターフェースに対して、前記物理無線インターフェースの管理情報を記憶する、
ことを特徴とする請求項３または４に記載の方法。
【請求項６】
決定されたインターフェースインデックスに対応する仮想無線インターフェースに対して、前記物理無線インターフェースの管理情報を記憶した後に、
ネットワーク管理者からの問い合わせ要求を受信し、問い合わせ要求におけるインターフェースインデックスに基づいて、前記インターフェースインデックスに対応する仮想無線インターフェースの管理情報を前記ネットワーク管理者に送信する、
ことをさらに含むことを特徴とする請求項５に記載の方法。
【請求項７】
ＡＣとＡＰとの間の情報やりとりがＣＡＰＷＡＰプロトコルに基づくものであり、ＡＣとネットワーク管理者との間の情報やりとりが簡易ネットワーク管理プロトコル（ＳＮＭＰ）に基づくものであることを特徴とする請求項６に記載の方法。
【請求項８】
アクセスコントローラ（ＡＣ）に応用されるアクセスポイント（ＡＰ）管理方法であって、
標準管理情報ベース（ＭＩＢ）に基づいて予め確立された、ＡＰの物理無線インターフェースに対応する仮想無線インターフェースを介して、物理無線インターフェースへの管理を行う、
ことを含むことを特徴とする方法。
【請求項９】
予め確立された、ＡＰの物理無線インターフェースに対応する仮想無線インターフェースを介して、物理無線インターフェースへの管理を行うことは、
ＡＣとネットワーク管理者との間の管理チャネルを介して、ネットワーク管理者の前記仮想無線インターフェースに対する配置情報を受信し、
ＡＣとＡＰとの間のチャネルを介して、前記配置情報を前記仮想無線インターフェースに対応する物理無線インターフェースに送信する、
ことを含むことを特徴とする請求項８に記載の方法。
【請求項１０】
予め確立された、ＡＰの物理無線インターフェースに対応する仮想無線インターフェースを介して、物理無線インターフェースへの管理を行うことは、
ＡＣとＡＰとの間のチャネルを介して、ＡＰから報告された物理無線インターフェースの管理情報を受信し、前記仮想無線インターフェースに対して、前記物理無線インターフェースの管理情報を記憶し、
ＡＣとネットワーク管理者との間の管理チャネルを介して、前記仮想無線インターフェースに対して記憶された前記物理無線インターフェースの管理情報を前記ネットワーク管理者に送信する、
ことを含むことを特徴とする請求項８に記載の方法。
【請求項１１】
前記ＡＣとＡＰとの間のチャネルが前記ＡＣとネットワーク管理者との間の管理チャネルと異なることを特徴とする請求項９または１０に記載の方法。
【請求項１２】
前記ＡＣとＡＰとの間のチャネルがＣＡＰＷＡＰに基づくものであり、前記ＡＣとネットワーク管理者との間の管理チャネルが簡易ネットワーク管理プロトコル（ＳＮＭＰ）に基づくものであることを特徴とする請求項１１に記載の方法。
【請求項１３】
アクセスコントローラ（ＡＣ）であって、
標準管理情報ベース（ＭＩＢ）インターフェースインデックスをそれぞれ有する少なくとも１つの仮想無線インターフェースを確立し、前記少なくとも１つの仮想無線インターフェースのそれぞれが少なくとも１つのアクセスポイント（ＡＰ）の少なくとも１つの物理無線インターフェースに対応する第１モジュールと、
前記物理無線インターフェースに対応する仮想無線インターフェースを決定し、決定された仮想無線インターフェースの配置情報を前記物理無線インターフェースに送信し、ここで、前記決定された仮想無線インターフェースの配置情報が前記標準ＭＩＢに従って配置されたものである第２モジュールと、
を含むことを特徴とするアクセスコントローラ。
【請求項１４】
前記物理無線インターフェースに対応する仮想無線インターフェースを決定し、決定された仮想無線インターフェースに対して、前記物理無線インターフェースの管理情報を記憶する第３モジュール、
をさらに含むことを特徴とする請求項１３に記載のアクセスコントローラ。
【請求項１５】
前記各仮想無線インターフェースのインターフェースインデックスと各物理無線インターフェースの一意の識別子との対応関係を記憶し、ここで、前記各物理無線インターフェースの一意の識別子が、物理無線インターフェースの属するＡＰ識別子および物理無線インターフェース識別子からなる第４モジュールをさらに含み、
前記第２モジュールは、
前記各仮想無線インターフェースに対して、前記標準ＭＩＢに従って無線パラメータ配置情報を配置する第１サブモジュールと、
ＡＰからの配置要求に付けられている、物理無線インターフェースの属するＡＰ識別子および物理無線インターフェース識別子からなる物理無線インターフェースの一意の識別子に対応する仮想無線インターフェースのインターフェースインデックスを、前記第４モジュールから検索し、検索されたインターフェースインデックスに対応する仮想無線インターフェースの無線パラメータ配置情報および前記物理無線インターフェース識別子を前記ＡＰに送信する第２サブモジュールと、を含む、
ことを特徴とする請求項１４に記載のアクセスコントローラ。
【請求項１６】
前記各仮想無線インターフェースのインターフェースインデックスと各物理無線インターフェースの一意の識別子との対応関係を記憶し、ここで、前記各物理無線インターフェースの一意の識別子が、物理無線インターフェースの属するＡＰ識別子および物理無線インターフェース識別子からなる第４モジュールをさらに含み、
前記第２モジュールは、
前記各仮想無線インターフェースに対して、前記標準ＭＩＢに従って無線パラメータ配置情報を配置し、各仮想無線インターフェースのインターフェースインデックスに対応する物理無線インターフェースの一意の識別子を前記第４モジュールから検索し、前記各仮想無線インターフェースに対して配置された無線パラメータ配置情報と検索された各物理無線インターフェースの一意の識別子との対応関係を第２サブモジュールに記憶する第１サブモジュールと、
前記各仮想無線インターフェースに対して配置された無線パラメータ配置情報と検索された各物理無線インターフェースの一意の識別子との対応関係を記憶する第２サブモジュールと、
ＡＰからの配置要求に付けられている、物理無線インターフェースの属するＡＰ識別子および物理無線インターフェース識別子からなる物理無線インターフェースの一意の識別子に対応する無線パラメータ配置情報を、前記第２サブモジュールから検索し、前記無線パラメータ配置情報および前記物理無線インターフェース識別子を前記ＡＰに送信する第３サブモジュールと、を含む、
ことを特徴とする請求項１４に記載のアクセスコントローラ。
【請求項１７】
前記第３モジュールは、
物理無線インターフェースの管理情報をＡＰから受信し、前記管理情報に付けられている、物理無線インターフェースの属するＡＰ識別子および物理無線インターフェース識別子からなる物理無線インターフェースの一意の識別子に対応する仮想無線インターフェースのインターフェースインデックスを、前記第４モジュールから検索し、検索されたインターフェースインデックスに対応する仮想無線インターフェースに対して、前記物理無線インターフェースの管理情報を記憶する第１サブモジュールと、
ＡＰの物理無線インターフェースに対する問い合わせ要求をネットワーク管理者から受信し、問い合わせ要求における、物理無線インターフェースの属するＡＰ識別子および物理無線インターフェース識別子からなる物理無線インターフェースの一意の識別子に対応する仮想無線インターフェースのインターフェースインデックスを、前記第４モジュールから検索し、検索されたインターフェースインデックスに対応する仮想無線インターフェースに対して記憶された管理情報を前記ネットワーク管理者に送信する第２サブモジュールと、
を含むことを特徴とする請求項１５または１６に記載のアクセスコントローラ。
【請求項１８】
少なくとも１つのアクセスポイントを制御するための集中型ＷＬＡＮに応用されるアクセスコントローラであって、
アクセスポイントの物理無線インターフェースに対応する仮想無線インターフェースと、
前記仮想無線インターフェースに対する管理操作を受け、前記管理操作を、該仮想無線インターフェースに対応する物理無線インターフェースに対する操作にマッピングする配置モジュールと、
を含むことを特徴とするアクセスコントローラ。
【請求項１９】
少なくとも１つのアクセスポイントを制御するための集中型ＷＬＡＮに応用されるアクセスコントローラであって、
物理無線インターフェースのネットワーク管理エージェントとして使用される仮想無線インターフェースを含むことを特徴とするアクセスコントローラ。
【請求項２０】
アクセスコントローラ（ＡＣ）を含む集中型ＷＬＡＮに応用されるＦｉｔアクセスポイント（ＡＰ）の管理方法であって、
ＡＣとネットワーク管理者との間の管理チャネルを介して、ＡＣの仮想無線インターフェースに対するネットワーク管理操作を受け、ここで、前記仮想無線インターフェースが物理無線インターフェースに対応し、
ＡＣとＡＰとの間のチャネルを介して、前記仮想無線インターフェースに対するネットワーク管理操作に基づいて、前記仮想無線インターフェースに対応する物理無線インターフェースを制御する、
ことを含むことを特徴とする方法。
【国際調査報告】
2009542165.tif 000010
2009542165.tif 000011
2009542165.tif 000012
2009542165.tif 000013